(57)【要約】【課題】大型の装着物であっても、開いた状態の蓋部が邪魔になることがなく、スムーズな装着を実現することができる蓋ユニットを提供する。【解決手段】蓋ユニット１１４は、カメラ本体に対してヒンジ部１１４ｃを介して開閉動作する蓋部を備える。ヒンジ部１１４ｃは、突起１１４６ａを有して蓋部の開閉動作に応じて回転する開閉軸１１４６と、突起１１４６ａがカムトレースするカム面１１４８ａを有するカム部材１１４８と、カム部材１１４８を開閉軸１１４６方向に付勢する付勢部材１１５０とを有する。突起１１４６ａがカム面１１４８ａをカムトレースすることで、付勢部材１１５０の付勢力を蓋部の開方向に作用させる状態と、付勢部材１１５０の付勢力を蓋部の開状態を維持するように作用させる状態と、付勢部材１１５０の付勢力を突起１１４６ａが第２のカム領域に戻る方向に作用させる状態になる。【選択図】図１５
2013098221.tif 000002
【特許請求の範囲】
【請求項１】
撮像装置の装置本体に取り付けられる取付部と、前記取付部にヒンジ部を介して前記装置本体に対して開閉動作が可能とされ、閉じた状態で前記装置本体に係脱可能に係止される蓋部と、を備え、
前記ヒンジ部は、
カム係合部を有して前記蓋部の開閉動作に応じて回転する開閉軸と、
前記カム係合部がカムトレースするカム面を有するカム部材と、
前記カム部材を前記開閉軸の方向に付勢する付勢部材と、を有し、
前記カム面は、
前記蓋部が閉じた状態で前記カム係合部がカムトレースして前記付勢部材の付勢力を前記蓋部が開く方向に作用させる第１のカム領域と、
前記装置本体に対する前記蓋部の閉じた状態での係止が解除されて前記付勢力により前記蓋部を開いたときに、前記カム係合部がカムトレースして前記付勢部材の付勢力を前記蓋部が開いた状態を維持するように作用させる第２のカム領域と、
前記蓋部が開いた状態から前記付勢力に抗してさらに開いたときに、前記カム係合部がカムトレースして前記付勢部材の付勢力を前記カム係合部が前記第２のカム領域に戻る方向に作用させる第３のカム領域と、を有することを特徴とする蓋ユニット。
【請求項２】
前記取付部は、前記装置本体に対して着脱可能であることを特徴とする請求項１に記載の蓋ユニット。
【請求項３】
前記蓋部は、前記カム係合部が前記第２のカム領域をカムトレースした際に、前記装置本体の底面と略面一となるように配置されることを特徴とする請求項１又は２に記載の蓋ユニット。
【請求項４】
装置本体と、前記装置本体に取り付けられる蓋ユニットとを備える撮像装置であって、
前記蓋ユニットとして、請求項１乃至３のいずれか一項に記載の蓋ユニットを備えることを特徴とする撮像装置。
【発明の詳細な説明】
【技術分野】
【０００１】
本発明は、例えば、デジタルスチルカメラやデジタルビデオカメラ等の撮像装置に設けられるバッテリ蓋ユニットに好適な蓋ユニット、及び蓋ユニットを備える撮像装置に関する。
【背景技術】
【０００２】
業務用の撮像装置では、民生用の撮像装置に比べてより過酷な環境での使用が想定されるため、バッテリを保護するためにバッテリの装着部に蓋が設けられることがある。バッテリ蓋においては、バッテリを装着する際にスムーズに装着できるように一定の姿勢を保つと利便性が高くなる。
【０００３】
このような一定の姿勢を保つ蓋の開閉機構としては、蓋が閉じた状態と蓋が開いた状態の２つの状態で蓋の姿勢を保持する技術が提案されている（特許文献１）。
【先行技術文献】
【特許文献】
【０００４】
【特許文献１】特開２０１１−４９３４４号公報
【発明の概要】
【発明が解決しようとする課題】
【０００５】
上記特許文献１では、ＳＤカード等のように比較的小さな装着物を装着する場合は、有効であるが、大容量バッテリ等のように、開いた状態の蓋の外形に相当する等の大型の装着物を装着する場合は、開いた状態の蓋が邪魔になり、スムーズな装着の妨げになる。
【０００６】
そこで、本発明は、大型の装着物であっても、開いた状態の蓋部が邪魔になることがなく、スムーズな装着を実現することができる仕組みを提供することを目的とする。
【課題を解決するための手段】
【０００７】
上記目的を達成するために、本発明の蓋ユニットは、撮像装置の装置本体に取り付けられる取付部と、前記取付部にヒンジ部を介して前記装置本体に対して開閉動作が可能とされ、閉じた状態で前記装置本体に係脱可能に係止される蓋部と、を備え、前記ヒンジ部は、カム係合部を有して前記蓋部の開閉動作に応じて回転する開閉軸と、前記カム係合部がカムトレースするカム面を有するカム部材と、前記カム部材を前記開閉軸の方向に付勢する付勢部材と、を有し、前記カム面は、前記蓋部が閉じた状態で前記カム係合部がカムトレースして前記付勢部材の付勢力を前記蓋部が開く方向に作用させる第１のカム領域と、前記装置本体に対する前記蓋部の閉じた状態での係止が解除されて前記付勢力により前記蓋部を開いたときに、前記カム係合部がカムトレースして前記付勢部材の付勢力を前記蓋部が開いた状態を維持するように作用させる第２のカム領域と、前記蓋部が開いた状態から前記付勢力に抗してさらに開いたときに、前記カム係合部がカムトレースして前記付勢部材の付勢力を前記カム係合部が前記第２のカム領域に戻る方向に作用させる第３のカム領域と、を有することを特徴とする。
【発明の効果】
【０００８】
本発明によれば、大型の装着物であっても、開いた状態の蓋部が邪魔になることがなく、スムーズな装着を実現することができる。
【図面の簡単な説明】
【０００９】
【図１】本発明の蓋ユニットを備える撮像装置の実施形態の一例であるデジタルビデオカメラのカメラ本体を後方から見た斜視図である。
【図２】図１に示すカメラ本体を前方から見た図である。
【図３】（ａ）はハンドルを上方から見た斜視図、（ｂ）はハンドルを下方から見た斜視図である。
【図４】表示ユニットの斜視図である。
【図５】表示ユニットの取付部に設けられる装着機構の側面図である。
【図６】（ａ）は、装着機構の嵌合部がハンドルのアクセサリシューに嵌合され、かつ装着機構がアクセサリシューに固定された状態を示す要部断面図である。（ｂ）は、装着機構の嵌合部がハンドルのアクセサリシューに嵌合されているが、アクセサリシューには固定されていない状態を示す要部断面図である。
【図７】表示ユニットが固定されたハンドルをカメラ本体に固定した状態を示す斜視図である。
【図８】表示ユニットをカメラ本体に固定した状態を示す斜視図である。
【図９】バッテリ蓋ユニットの蓋部を開いてバッテリをカメラ本体のバッテリ装着部に装着する際の状態を示す斜視図である。
【図１０】蓋部が開いた状態のバッテリ蓋ユニットをカメラ本体から取り外した状態を示す斜視図である。
【図１１】バッテリ蓋ユニットの分解斜視図である。
【図１２】（ａ）は蓋部を図１１の右方から見た斜視図、（ｂ）は蓋部を図１１の左方から見た斜視図である。
【図１３】図１２に示すヒンジ部を下方から見た拡大斜視図である。
【図１４】（ａ）はバッテリ蓋ユニットの蓋部の開閉動作を示す図、（ｂ）は（ａ）における蓋部の開閉動作に応じた第２の開閉軸と第２のカム部材との関係を示す図である。（ｃ）は、（ａ）における蓋部の開閉動作に応じた蓋部の開閉角度と回転トルクとの関係を示すグラフ図である。
【図１５】バッテリ蓋ユニットの蓋部の開閉角度が０°のときのヒンジ部の状態を示す図である。
【図１６】蓋部の開閉ノブを押し込んで係止リブと係止部との係止を解除したときのヒンジ部の状態を示す図である。
【図１７】ヒンジ部が図１６の状態のときのカメラ本体とバッテリ蓋ユニットの蓋部との関係を示す図である。
【図１８】図１７の状態の蓋部に対して開き方向の外力を加えて蓋部をさらに開いたときのカメラ本体と蓋部との関係を示す図である。
【図１９】蓋部が図１８の状態のときのヒンジ部の状態を示す図である。
【発明を実施するための形態】
【００１０】
以下、本発明の実施形態の一例を図面を参照して説明する。
【００１１】
図１は本発明の蓋ユニットを備える撮像装置の実施形態の一例であるデジタルビデオカメラのカメラ本体を後方から見た斜視図、図２は図１に示すカメラ本体を前方から見た図である。
【００１２】
本実施形態のデジタルビデオカメラは、図１に示すように、カメラ本体１の後方側に、可動式ビューファインダ１３、情報表示部１６、入出力端子部１７、及び記録媒体装着部１８が設けられている。また、カメラ本体１の後方側には、ＲＥＣ／ＰＡＵＳＥボタン１１１、メニューボタン１１２、メニュー操作レバー１１３、及びバッテリ蓋ユニット１１４が設けられている。カメラ本体１は、本発明の装置本体の一例に相当する。
【００１３】
図１及び図２に示すように、カメラ本体１を後方から見て右側の側面には、通風口１１５，１１６が設けられている。カメラ本体１を後方から見て右側の側面には、着脱可能なグリップ部１２が装着されている。カメラ本体１を後方から見て左側の側面には、通風口１１７及び電源スイッチ１１８が設けられている。
【００１４】
カメラ本体１の上面には、後述するハンドル３（図３参照）又は表示ユニット（図４参照）を装着可能なアクセサリシュー１４が設けられている。アクセサリシュー１４には、アクセサリシュー１４に装着したハンドル３をカメラ本体１に固定するためのネジ穴１５が設けられている。また、図２に示すように、カメラ本体１の前方側には、レンズユニット７（図７参照）を装着可能なマウント部１９が設けられている。
【００１５】
図３（ａ）はハンドル３を上方から見た斜視図、図３（ｂ）はハンドル３を下方から見た斜視図である。
【００１６】
図３に示すように、ハンドル３は、撮影者によって把持される外装部３１と、撮影者によって回転操作される回転操作部３３とを有する。図３（ａ）に示すように、ハンドル３の上面部には、ビデオライト等の装着するためのアクセサリシュー３４およびネジ穴３５が設けられている。ハンドル３の前方側には、表示ユニット４を装着可能なアクセサリシュー３６が設けられている。図３（ｂ）に示すように、ハンドル３の底面部には、カメラ本体１のアクセサリシュー１４に取り付けられる取付部３２が設けられている。ハンドル３の取付部３２をカメラ本体１のアクセサリシュー１４に取り付けた後、回転操作部３３を回転操作すると、回転操作部３３のネジ部がカメラ本体１のネジ穴１５に螺合する。
【００１７】
図４は、表示ユニット４の斜視図である。図４に示すように、表示ユニット４は、撮像画像を表示する画像表示部４１と、撮像画像を再生する際にカメラ本体１を操作するための操作部４２と、カメラ本体１のアクセサリシュー１４又はハンドル３のアクセサリシュー３６に取り付けられる取付部４３と、を備える。
【００１８】
画像表示部４１は、カメラ本体１で撮影した画像及びカメラ本体１の制御状態を撮影者が確認可能な画像表示パネル４１１と、画像表示パネル４１１を保護する保護部材４１３とを有する。また、画像表示部４１の外装は、軟質の樹脂材料で形成されたカバー部材４１４で覆われている。画像表示部４１は、２軸ヒンジ機構１０によって操作部４２に対して回動可能に支持される。
【００１９】
操作部４２は、撮影者の操作によってカメラ本体１に所定の動作を実行させる操作ボタン群４２１と、外部マイクの接続時に外部マイクからの音声信号を調整する音声信号調整部４２２と、音声信号調整部４２２を覆うカバー部材４２３とを有する。
【００２０】
また、操作部４２は、画像表示部４１に表示される画像の表示方向を変更する表示方向変更ボタン４２４を有する。
【００２１】
操作部４２は、回動機構２０によって取付部４３に対して回動可能に支持される。
【００２２】
取付部４３は、外部マイクを保持する保持部４３２、外部マイクのコネクタを連結するコネクタ部４３３、カメラ本体１のアクセサリシュー１４に装着される装着機構４３４、ハンドル３のアクセサリシュー３６に装着される装着機構４３５を有する。
【００２３】
また、取付部４３は、カメラ本体１で得られた画像を画像表示パネル４１１に表示するための信号、操作ボタン群４２１の操作に対応する制御信号及び外部マイクから得られた音声信号をカメラ本体１との間で送受信するための信号ケーブル４３６を有する。なお、操作ボタン群４２１での操作に対応する制御信号及び外部マイクから得られた音声信号は、操作部４２に設けられた音声信号調整部４２２で調整した上でカメラ本体１に送信される。
【００２４】
図５は、表示ユニット４の取付部４３に設けられる装着機構４３５の側面図である。図５に示すように、装着機構４３５は、ハンドル３のアクセサリシュー３６に嵌合される嵌合部４３５１を有する。
【００２５】
図６（ａ）は、装着機構４３５の嵌合部４３５１がハンドル３のアクセサリシュー３６に嵌合され、かつ装着機構４３５がアクセサリシュー３６に固定された状態を示す要部断面図である。図６（ｂ）は、装着機構４３５の嵌合部４３５１がハンドル３のアクセサリシュー３６に嵌合されているが、装着機構４３５がアクセサリシュー３６に固定されていない状態を示す要部断面図である。
【００２６】
図６に示すように、装着機構４３５は、嵌合部４３５１、規制部材４３５２、摺動部材４３５３、抜け止めピン４３５４、当接部材４３５５、及び弾性部材４３５６を有する。
【００２７】
規制部材４３５２は、中央部にねじ穴が形成され、嵌合部４３５１をハンドル部３のアクセサリシュー３６に嵌合した後、ハンドル３に対して表示ユニット４の移動を規制する。
【００２８】
摺動部材４３５３は、規制部材４３５２が表示ユニット４の移動を規制する位置と表示ユニット４をハンドル３から着脱可能にする位置とを移動可能となるように規制部材４３５２のねじ穴に螺合するねじ部が形成されている。
【００２９】
抜け止めピン４３５４は、規制部材４３５２の位置に応じて突出高さが変化する。当接部材４３５５は、樹脂等で形成されており、抜け止めピン４３５４に一体に取り付けられて、規制部材４３５２に当接しながら移動する。弾性部材４３５６は、コイルばね等で構成され、抜け止めピン４３５４を嵌合部４３５１に向けて付勢する。
【００３０】
図６（ａ）に示すように、装着機構４３５の嵌合部４３５１がハンドル３のアクセサリシュー３６に嵌合、かつ固定された状態では、規制部材４３５２は、ハンドル３のアクセサリシュー３６に当接する位置にある。そのため、弾性部材４３５６の付勢力によって抜け止めピン４３５４は嵌合部４３５１よりも突出する。
【００３１】
これにより、ハンドル３に対して表示ユニット４の移動が規制され、図６（ａ）の状態でハンドル３から表示ユニット４を取り外そうとしても、抜け止めピン４３５４がハンドル３のアクセサリシュー３６に当接して表示ユニット４を取り外すことはできなくなる。
【００３２】
図６（ｂ）に示すように、ハンドル３のアクセサリシュー３６に嵌合された装着機構４３５の嵌合部４３５１が固定されていない状態では、規制部材４３５２の位置がハンドル３のアクセサリシュー３６から離れている。
【００３３】
これにより、抜け止めピン４３５４が装着機構４３５の嵌合部４３５１から突出しなくなり、ハンドル３に対して表示ユニット４が着脱可能となる。なお、表示ユニット４をカメラ本体１のアクセサリシュー１４に装着する装着機構４３４については、装着機構４３５と同様であるため、その説明を省略する。
【００３４】
図７は表示ユニット４が固定されたハンドル３をカメラ本体１に固定した状態を示す斜視図、図８は表示ユニット４をカメラ本体１に固定した状態を示す斜視図である。図７及び図８では、カメラ本体１のマウント部１９にレンズユニット７が装着されている。
【００３５】
図９は、バッテリ蓋ユニット１１４の蓋部１１４ａを開いてバッテリ９をカメラ本体１のバッテリ装着部１２１に装着する際の状態を示す斜視図である。
【００３６】
図９に示すように、バッテリ蓋ユニット１１４の蓋部１１４ａには、開閉ノブ１１４１、及び開閉ノブ１１４１の動きと連動する係止リブ１１４２，１１４３設けられている。そして、開閉ノブ１１４１を下に押し込むことで、係止リブ１１４２，１１４３が開閉ノブ１１４１の押し込み動作に連動してバッテリ装着部１２１に設けられた係止部１１９，１２０から外れる。
【００３７】
これにより、バッテリ蓋ユニット１１４の蓋部１１４ａが開き、カメラ本体１のバッテリ装着部１２１に対してバッテリ９を装着することができる。ここで、本実施形態では、バッテリ蓋ユニット１１４は、カメラ本体１に対して着脱可能に構成されている。
【００３８】
図１０は、蓋部１１４ａが開いた状態のバッテリ蓋ユニット１１４をカメラ本体１から取り外した状態を示す斜視図である。バッテリ蓋ユニット１１４は、蓋部１１４ａから延設されてカメラ本体１のバッテリ装着部１２１の下部に設けられた挿入口１２１ａに挿入される取付部１１４ｂを有する。
【００３９】
取付部１１４ｂには、ＰＣ等の樹脂で形成された弾性変形可能な係止爪１１４４１が形成されている。係止爪１１４４１がバッテリ装着部１２１の底部に挿入口１２１ａに貫通して設けられた係止部１２１１に係脱可能に係止されることで、バッテリ蓋ユニット１１４がカメラ本体１に装着される。
【００４０】
また、カメラ本体１に装着されたバッテリ蓋ユニット１１４の蓋部１１４ａが開いた状態で、係止爪１１４４１を押下して蓋部１１４ａを引き出すことで、カメラ本体１からバッテリ蓋ユニット１１４を取り外すことができる。これにより、バッテリ装着部１２１に外形が収まらないような大型バッテリをバッテリ装着部１２１に装着する際に、バッテリ蓋ユニット１１４が邪魔にならない。
【００４１】
図１１は、バッテリ蓋ユニット１１４の分解斜視図である。図１１に示すように、バッテリ蓋ユニット１１４は、蓋部１１４ａ、取付部１１４ｂ、及びヒンジ部１１４ｃを備える。取付部１１４ｂは、ベース部材１１４４、及びカバー部材１１４５によって構成される。ヒンジ部１１４ｃは、第１の開閉軸１１４６、第２の開閉軸１１４７、第１のカム部材１１４８、第２のカム部材１１４９、及びコイルばね等の付勢部材１１５０によって構成される。
【００４２】
図１２（ａ）は蓋部１１４ａを図１１の右方から見た斜視図、図１２（ｂ）は蓋部１１４ａを図１１の左方から見た斜視図である。
【００４３】
図１２（ａ）及び図１２（ｂ）に示すように、蓋部１１４ａは、第１の開閉軸１１４６が圧入等により嵌合される第１の穴部１１４ａ１、及び第２の開閉軸１１４７が圧入等により嵌合される第２の穴部１１４ａ２を有する。
【００４４】
ベース部材１１４４は、ヒンジ部１１４ｃが収納される収納部１１４４ａ、第１の開閉軸１１４６が貫通する第１の穴部１１４４ｂ、及び第２の開閉軸１１４７が貫通する第２の穴部１１４４ｃを有する。カバー部材１１４５は、収納部材１１４４と係合し、上述した係止爪１１４４１を有する。
【００４５】
また、図１３は、図１２に示すヒンジ部１１４ｃを下方から見た拡大斜視図である。図１３に示すように、第１の開閉軸１１４６は、第１のカム部材１１４８のカム面１１４８ａをカムトレースするカム突起１１４６ａ、及び第１のカム部材１１４８に設けられた穴部に嵌合される軸部１１４６ｂを有する。
【００４６】
また、第１の開閉軸１１４６は、蓋部１１４ａの第１の穴部１１４ａ１に係合するＤカット面からなる係止部１１４６ｃを有する。第１の開閉軸１１４６は、収納部材１１４４に設けられた第１の穴部１１４４ｂを貫通して、蓋部１１４ａの第１の穴部１１４ａ１に圧入され、蓋部１１４ａの開閉動作に応じて回転動作を行う。
【００４７】
第２の開閉軸１１４７は、第２のカム部材１１４９のカム面１１４９ａをカムトレースするカム突起１１４７ａ、及び第２のカム部材１１４９に設けられた穴部１１４９ｄに嵌合される軸部１１４７ｂを有する。ここで、カム突起１１４６ａ，１１４７ａは、本発明のカム係合部の一例に相当する。
【００４８】
また、第２の開閉軸１１４７は、蓋部１１４ａの第２の穴部１１４ａ２に係合するＤカット面からなる係止部１１４７ｃを有する。第２の開閉軸１１４７は、収納部材１１４４に設けられた第２の穴部１１４４ｃを貫通して、蓋部１１４ａの第２の穴部１１４ａ２に圧入され、蓋部１１４ａの開閉動作に応じて回転動作を行う。
【００４９】
第１のカム部材１１４８は、第１の開閉軸１１４６のカム突起１１４６ａがカムトレースするカム面１１４８ａ及び収納部１１４４ａの軸方向両側に形成された平面部に当接して第１のカム部材１１４８の回転動作を規制する規制部１１４８ｂ，１１４８ｃを有する。
【００５０】
第１のカム部材１１４８は、第１の開閉軸１１４６が回転しても、規制部１１４８ｂ及び１１４８ｃによって回転が規制された状態で、ヒンジ部１１４ｃの軸方向に直進移動が可能とされている。
【００５１】
第２のカム部材１１４９は、第２の開閉軸１１４７のカム突起１１４７ａがカムトレースするカム面１１４９ａ及び収納部１１４４ａの軸方向両側に形成された平面部に当接して第２のカム部材１１４９の回転動作を規制する規制部１１４９ｂ，１１４９ｃを有する。
【００５２】
第２のカム部材１１４９は、第２の開閉軸１１４７が回転しても、規制部１１４９ｂ及び１１４９ｃによって回転が規制された状態で、ヒンジ部１１４ｃの軸方向に直進移動が可能とされている。
【００５３】
付勢部材１１５０は、両端部がそれぞれ第１のカム部材１１４８及び第２のカム部材１１４９に軸方向に当接し、第１のカム部材１１４８を第１の開閉軸１１４６の方向に付勢し、第２のカム部材１１４９を第２の開閉軸１１４７の方向に付勢する。
【００５４】
次に、図１４〜図１９を参照して、バッテリ蓋ユニット１１４の蓋部１１４ａの開閉動作例について説明する。
【００５５】
図１４（ａ）はバッテリ蓋ユニット１１４の蓋部１１４ａの開閉動作を示す図、図１４（ｂ）は図１４（ａ）における蓋部１１４ａの開閉動作（（ｉ）〜（ｉｉｉ））に応じた第２の開閉軸１１４７と第２のカム部材１１４９との関係を示す図である。図１４（ｃ）は、図１４（ａ）における蓋部１１４ａの開閉動作（（ｉ）〜（ｉｉｉ））に応じた蓋部１１４ａの開閉角度と回転トルクとの関係を示すグラフ図である。
【００５６】
なお、図１４（ａ）における（ｉ）は、蓋部１１４ａの開閉角度が０°、（ｉｉ）は、蓋部１１４ａの開閉角度が８０°、（ｉｉｉ）は、蓋部１１４ａの開閉角度が１３５°の状態を示している。
【００５７】
また、図１４（ｃ）では、バッテリ蓋ユニット１１４の蓋部１１４ａを閉じた状態の開閉角度を０°とし、蓋部１１４ａを開く方向の回転トルクを正の値としている。更に、図１４（ａ）における蓋部１１４ａの開閉動作（（ｉ）〜（ｉｉｉ））に応じた第１の開閉軸１１４６と第１のカム部材１１４８との関係については、第２の開閉軸１１４７と第２のカム部材１１４９との関係と同様であるため、図示を省略している。
【００５８】
図１４（ｃ）に示すように、バッテリ蓋ユニット１１４は、蓋部１１４ａの開閉角度８０°において回転トルクが０となり、蓋部１１４ａの開き状態が維持される。そして、蓋部１１４ａの開閉角度が８０°以下においては、蓋部１１４ａが開く方向に回転トルクが発生し、蓋部１１４ａの開閉角度が８０°を超え１３５°以下においては、蓋部１１４ａが閉じる方向に回転トルクが発生する。
【００５９】
図１５は、バッテリ蓋ユニット１１４の蓋部１１４ａの開閉角度が０°（図１４（ａ）の（ｉ））のときのヒンジ部１１４ｃの状態を示す図である。
【００６０】
図１５に示すように、蓋部１１４ａの開閉角度が０°の状態では、第１の開閉軸１１４６のカム突起１１４６ａは、第１のカム部材１１４８のカム面１１４８ａの山部分をカムトレースしている。
【００６１】
このとき、カム突起１１４６ａは、第１のカム部材１１４８が付勢部材１１５０から受ける第１の開閉軸１１４６方向への付勢力によりカム面１１４８ａの山領域から溝領域に向かうように付勢される。すなわち、山部は、付勢部材１１５０の付勢力をカム突起１１４６ａがカム面１１４８ａの山領域から溝領域に向かうように作用させる。
【００６２】
また、第２の開閉軸１１４７のカム突起１１４７ａも同様に、第２のカム部材１１４９のカム面１１４９ａの山領域をカムトレースしている。ここでのカム面１１４８ａ，１１４９ａの山領域は、本発明の第１のカム領域の一例に相当する。
【００６３】
このとき、カム突起１１４７ａは、第２のカム部材１１４９が付勢部材１１５０から受ける第２の開閉軸１１４７方向への付勢力により、カム突起１１４６ａの場合と同様に、カム面１１４８ａの山領域から溝領域に向かうように付勢される。
【００６４】
従って、バッテリ蓋ユニット１１４は、蓋部１１４ａが開く方向に付勢されているが、蓋部１１４ａの係止リブ１１４２，１１４３がそれぞれバッテリ装着部１２１の係止部１１９，１２０に係脱可能に係止されることで、蓋部１１４ａの閉状態が維持されている。
【００６５】
図１６は、蓋部１１４ａの開閉ノブ１１４１を押し込んで係止リブ１１４２，１１４３と係止部１１９，１２０との係止を解除したとき（図１４（ａ）の（ｉｉ））のヒンジ部１１４ｃの状態を示す図である。
【００６６】
図１６の状態では、第１の開閉軸１１４６のカム突起１１４６ａは、上述した付勢部材１１５０の付勢力により第１のカム部材１１４８のカム面１１４８ａの溝領域に向かって移動して溝領域をカムトレースする。同様に、第２の開閉軸１１４７のカム突起１１４７ａも、上述した付勢部材１１５０の付勢力により第２のカム部材１１４９のカム面１１４９ａの溝領域に向かって移動して溝部に係合する。ここでのカム面１１４８ａ，１１４９ａの溝領域は、本発明の第２のカム領域の一例に相当する。
【００６７】
カム突起１１４６ａがカム面１１４８ａの溝領域をカムトレースする状態、及びカム突起１１４７ａがカム面１１４９ａの溝領域をカムトレースする状態は、付勢部材１１５０の付勢力により安定して維持される。すなわち、カム面１１４８ａ，１１４９ａの溝領域は、付勢部材１１５０の付勢力を蓋部１１４ａが開いた状態を維持するように作用させる。従って、バッテリ蓋ユニット１１４の蓋部１１４ａに外力が加えられない限り、蓋部１１４ａの開閉位置が維持される。
【００６８】
図１７は、ヒンジ部１１４ｃが図１６の状態のときのカメラ本体１とバッテリ蓋ユニット１１４の蓋部１１４ａとの関係を示す図である。図１７に示すように、ヒンジ部１１４ｃが図１６の状態のとき、バッテリ蓋ユニット１１４の開いた蓋部１１４ａがカメラ本体１の底面と略面一となるように配置される。これにより、カメラ本体１の底面に設けられた不図示の三脚取付ねじ部に三脚等を固定して使用する場合に、蓋部１１４ａが邪魔にならないようにすることができる。
【００６９】
また、ヒンジ部１１４ｃの第１のカム部材１１４８のカム面１１４８ａ、及び第２のカム部材１１４９のカム面１１４９ａは、それぞれ溝領域を中心に蓋部１１４ａの開方向と閉方向の両方向に山領域が形成される。このため、図１７の状態の蓋部１１４ａに対して開き方向の外力を加えることで、図１８に示すように、蓋部１１４ａをさらに開くことが可能となる。
【００７０】
これにより、大容量の大型のバッテリをカメラ本体１のバッテリ装着部１２１に装着する際、バッテリ蓋ユニット１１４の蓋部１１４ａをさらに開くことで、大型のバッテリをスムーズに装着することが可能となる。
【００７１】
図１８は、図１７の状態の蓋部１１４ａに対して開き方向の外力を加えて蓋部１１４ａをさらに開いたときのカメラ本体１と蓋部１１４ａとの関係を示す図である。図１９は、蓋部１１４ａが図１８の状態（図１４（ｉｉｉ）の状態）のときのヒンジ部１１４ｃの状態を示す図である。
【００７２】
図１９の状態では、図１５と同様に、第１の開閉軸１１４６のカム突起１１４６ａは、第１のカム部材１１４８のカム面１１４８ａの山領域をカムトレースする。また、第２の開閉軸１１４７のカム突起１１４７ａは、第２のカム部材１１４９のカム面１１４９ａの山領域をカムトレースする。ここでのカム面１１４８ａ，１１４９ａの山領域は、本発明の第３のカム領域の一例に相当する。
【００７３】
そして、カム突起１１４６ａは、付勢部材１１５０による第１の開閉軸１１４６方向への付勢力によりカム面１１４８ａの溝領域に向かうように付勢される。また、カム突起１１４７ａも、付勢部材１１５０による第２の開閉軸１１４７方向への付勢力によりカム面１１４８ａの溝領域に向かうように付勢される。
【００７４】
すなわち、溝領域を中心として蓋部１１４ａの開き方向のカム面１１４８ａ，１１４９ａの山領域は、付勢部材１１５０の付勢力をカム突起１１４６ａ，１１４７ａがそれぞれカム面１１４８ａ，１１４９ａの溝領域に戻る方向に作用させる。従って、蓋部１１４ａは、図１７の状態に戻る方向に力を受けるため、外力を除くと、蓋部１１４ａは、図１７の状態まで自動的に閉動作する。
【００７５】
以上説明したように、本実施形態では、大容量の大型のバッテリであっても、開いた状態の蓋部１１４ａが邪魔になることがなく、カメラ本体１のバッテリ装着部１２１へのスムーズな装着を実現することができる。
【００７６】
なお、本発明の構成は、上記実施形態に例示したものに限定されるものではなく、本発明の要旨を逸脱しない範囲において適宜変更可能である。
【符号の説明】
【００７７】
１  カメラ本体
１１４  蓋ユニット
１１４ａ  蓋部
１１４ｂ  取付部
１１４ｃ  ヒンジ部
１１４６ａ，１１４７ａ  カム突起
１１４６，１１４７  開閉軸
１１４８，１１４９  カム部材
１１４８ａ，１１４９ａ  カム面
１１５０  付勢部材
【図１】
2013098221.tif 000003
【図２】
2013098221.tif 000004
【図３】
2013098221.tif 000005
【図４】
2013098221.tif 000006
【図５】
2013098221.tif 000007
【図６】
2013098221.tif 000008
【図７】
2013098221.tif 000009
【図８】
2013098221.tif 000010
【図９】
2013098221.tif 000011
【図１０】
2013098221.tif 000012
【図１１】
2013098221.tif 000013
【図１２】
2013098221.tif 000014
【図１３】
2013098221.tif 000015
【図１４】
2013098221.tif 000016
【図１５】
2013098221.tif 000017
【図１６】
2013098221.tif 000018
【図１７】
2013098221.tif 000019
【図１８】
2013098221.tif 000020
【図１９】
2013098221.tif 000021